(57)【要約】      （修正有）【課題】貯湯式給湯機をＨＥＭＳ等のシステムに接続する場合において、コストアップを抑制し、設置作業時の作業性を向上させる。【解決手段】貯湯式の給湯機３５は、ＨＰユニット７、貯湯タンク８、制御装置３６、台所リモコン４４Ａ、浴室リモコン４４Ｂ等を備える。また、給湯機３５を、ＨＥＭＳ操作端末４７を備えたＨＥＭＳコントローラ４６と接続する。制御装置３６は、台所リモコン４４Ａだけでなく、ＨＥＭＳ操作端末４７によっても沸上げ関連操作が実行可能である場合に、台所リモコン４４Ａが制御装置３６と非接続状態であっても、沸上げ運転を許可する。また、台所リモコン４４ＡとＨＥＭＳ操作端末４７の両方が制御装置３６と非接続状態である場合に、沸上げ運転を禁止する。【選択図】図１
2015222152.tif 000002
【特許請求の範囲】
【請求項１】
温水を貯留する貯湯タンクと、
前記貯湯タンクに貯留するための湯水を加熱する加熱装置と、
前記加熱装置を駆動して前記貯湯タンクに温水を貯留するための沸上げ運転を実行する制御装置と、
前記沸上げ運転の実行状態を変更するための沸上げ関連操作を実行可能なリモコンと、
複数の電気機器を制御するシステムの一部であって前記沸上げ関連操作を実行可能なＨＥＭＳ操作端末が前記制御装置と接続されている場合に、前記リモコンが前記制御装置と非接続状態であっても前記沸上げ運転を許可し、前記リモコン及び前記ＨＥＭＳ操作端末が前記制御装置と非接続状態である場合に、前記沸上げ運転を禁止する沸上げ可否設定手段と、
を備えた貯湯式給湯機。
【請求項２】
前記リモコンは、それぞれ前記沸上げ関連操作を実行可能な２つのリモコンであり、
前記沸上げ可否設定手段は、前記２つのリモコンのうち一方のリモコンが前記制御装置と非接続状態であっても、他方のリモコン及び前記ＨＥＭＳ操作端末が前記制御装置と接続されている場合に前記沸上げ運転を許可し、前記２つのリモコンが前記制御装置と非接続状態である場合には、前記ＨＥＭＳ操作端末が前記制御装置と接続状態であっても、前記沸上げ運転を禁止する構成としてなる請求項１に記載の貯湯式給湯機。
【請求項３】
前記一方のリモコンが前記制御装置と非接続状態である場合にのみ、前記沸上げ関連操作を行うための操作部及び表示部が前記他方のリモコンに出現する構成としてなる請求項２に記載の貯湯式給湯機。
【発明の詳細な説明】
【技術分野】
【０００１】
本発明は、温水を貯湯及び給湯する機能を備えた貯湯式給湯機に関する。
【背景技術】
【０００２】
従来技術として、例えば特許文献１に記載されているように、ヒートポンプ等の加熱装置により加熱（沸上げ）された温水を貯湯タンクに貯留し、貯湯タンクから取出した温水を浴槽、シャワー、蛇口等の給湯対象に供給する貯湯式給湯機が知られている。従来技術では、浴室と台所にそれぞれリモコンを設置し、これらのリモコンにより給湯温度、沸上げ温度等を設定したり、湯張り、追焚き等の操作を行うことが一般的に行われる。
【０００３】
また、従来技術では、ＨＥＭＳ（Home Energy Management System）と呼ばれるシステムに貯湯式給湯機を接続する構成としている。ＨＥＭＳは、家屋に配置された各種の電気機器を制御し、電気機器全体のエネルギ需給を総合的に管理するものである。ＨＥＭＳは、システムを操作するための操作端末を備えている。
【先行技術文献】
【特許文献】
【０００４】
【特許文献１】特開２０１３−１７８００９号公報
【発明の概要】
【発明が解決しようとする課題】
【０００５】
しかしながら、従来技術のように、貯湯式給湯機をＨＥＭＳに接続する場合には、浴室及び台所のリモコンからなる２個の操作端末だけでなく、ＨＥＭＳ用の操作端末も必要となる。このため、従来技術では、給湯機を含むＨＥＭＳを実現しようとすると、これら複数の操作端末を購入する必要が生じ、システムのコストが増加するという問題がある。また、システムの設置時には、個々の操作端末について、操作端末の設置、システムとの接続及び初期設定をそれぞれ行う必要があり、作業に手間がかかるという問題もある。
【０００６】
本発明は、上述のような課題を解決するためになされたもので、ＨＥＭＳ等のシステムに接続する場合において、コストアップを抑制し、設置作業時の作業性を向上させることが可能な貯湯式給湯機を提供することにある。
【課題を解決するための手段】
【０００７】
本発明に係る貯湯式給湯機は、温水を貯留する貯湯タンクと、貯湯タンクに貯留するための湯水を加熱する加熱装置と、加熱装置を駆動して貯湯タンクに温水を貯留するための沸上げ運転を実行する制御装置と、沸上げ運転の実行状態を変更するための沸上げ関連操作を実行可能なリモコンと、複数の電気機器を制御するシステムの一部であって沸上げ関連操作を実行可能なＨＥＭＳ操作端末が制御装置と接続されている場合に、リモコンが制御装置と非接続状態であっても沸上げ運転を許可し、リモコン及びＨＥＭＳ操作端末が制御装置と非接続状態である場合に、沸上げ運転を禁止する沸上げ可否設定手段と、を備えている。
【発明の効果】
【０００８】
本発明によれば、沸上げ関連操作を実行可能なＨＥＭＳ操作端末が制御装置と接続されている場合には、リモコンが制御装置と非接続状態であっても、沸上げ運転を許可することができる。これにより、例えばリモコンを用いなくても、システムを構成することができる。従って、貯湯式給湯機をＨＥＭＳ等のシステムに接続する場合において、システムを簡略化し、コストダウンを促進することができる。また、設置作業時の作業性を向上させることができる。
【図面の簡単な説明】
【０００９】
【図１】本発明の実施の形態１による貯湯式の給湯機を示す構成図である。
【図２】本発明の実施の形態１において、制御装置により実行される制御の一例を示すフローチャートである。
【図３】本発明の実施の形態２において、制御装置により実行される制御の一例を示すフローチャートである。
【発明を実施するための形態】
【００１０】
以下、図面を参照して本発明の実施の形態について説明する。なお、各図において共通する要素には、同一の符号を付して、重複する説明を省略する。また、本発明は、以下に示す各実施の形態に記載された構成のあらゆる組み合わせを含むものとする。
【００１１】
実施の形態１．
図１は、本発明の実施の形態１による貯湯式の給湯機を示す構成図である。この図に示すように、本実施の形態の給湯機３５は、タンクユニット３３と、ヒートポンプサイクルを利用するＨＰ（ヒートポンプ）ユニット７と、後述のリモコン４４Ａ，４４Ｂとを備えている。ＨＰユニット７とタンクユニット３３とは、ＨＰ往き配管１４及びＨＰ戻り配管１５を介して接続されている。タンクユニット３３には、制御装置３６が搭載されている。タンクユニット３３及びＨＰユニット７が備える各種の弁類、ポンプ類等の作動は、これらと電気的に接続された制御装置３６により制御される。
【００１２】
ＨＰユニット７は、後述の貯湯タンク８に貯留するための湯水を加熱する加熱装置を構成している。ＨＰユニット７は、圧縮機１、水冷媒熱交換器３、膨張弁４及び空気熱交換器６等の機器と、これらの機器を環状に接続した冷媒配管５とを備えている。水冷媒熱交換器３は、圧縮機１で圧縮された高温高圧の冷媒と、貯湯タンク８から導入される低温水との間で熱交換を行う。
【００１３】
タンクユニット３３には、温水を貯留する貯湯タンク８と、以下に述べる各種の部品及び配管とが搭載されている。貯湯タンク８の下部に設けられた水導入口８ａには、第三給水配管９ｃが接続されている。水道等の水源から供給される水は、減圧弁３１で所定圧力に調圧された上で、第三給水配管９ｃを介して貯湯タンク８内に流入する。貯湯タンク８の上部に設けられた温水導入出口８ｄには、貯湯タンク８内に貯留された湯を取出す給湯配管２１と、送湯配管１３とが接続されている。
【００１４】
貯湯タンク８には、ＨＰユニット７を用いて加熱された高温水が温水導入出口８ｄから流入すると共に、第三給水配管９ｃからの低温水が水導入口８ａから流入する。これにより、貯湯タンク８内には、上部側に高温水が滞留し、下部側に低温水が滞留する温度成層が形成される。また、貯湯タンク８の表面には、複数の貯湯温度センサ４２，４３が異なる高さ位置に取付けられている。これら貯湯温度センサ４２，４３で貯湯タンク８内の温水の温度分布を検出し、貯湯タンク８内の残湯量及び蓄熱量を算出可能とする。制御装置３６は、上記残湯量または蓄熱量等に基いて、後述する沸上げ運転の開始及び停止等を制御する。
【００１５】
タンクユニット３３内には、熱源ポンプ１２、ふろ熱交換器２０及びふろ循環ポンプ２９が設けられている。熱源ポンプ１２は、タンクユニット３３内の各種配管に温水を循環させるためのポンプであり、ＨＰ往き配管１４に設けられている。ふろ熱交換器２０は、貯湯タンク８あるいはＨＰユニット７から供給される高温水と、浴槽３０から導入された浴槽水との熱交換を行うことにより、浴槽水を加熱するものである。ふろ熱交換器２０には、浴槽３０から導出した浴槽水を循環させるふろ往き配管２７及びふろ戻り配管２８が接続されている。ふろ戻り配管２８の途中には、浴槽水を循環させるためのふろ循環ポンプ２９と、ふろ戻り配管２８内の水流の有無を検出するフロースイッチ１９と、浴槽３０から流出した浴槽水の温度を検出するふろ戻り温度センサ３８とが設けられている。ふろ往き配管２７の途中には、ふろ熱交換器２０から流出した熱交換後の浴槽水の温度を検出するふろ往き温度センサ３７が設置されている。
【００１６】
三方弁１１は、流入口であるａポート及びｂポートと、流出口であるｃポートとを有している。三方弁１１は、２つの経路であるａ−ｃ経路及びｂ−ｃ経路の間で湯水の流路を切換える。四方弁１８は、流入口であるｂポート及びｃポートと、流出口であるａポート及びｄポートとを有している。四方弁１８は、４つの経路であるａ−ｂ経路、ａ−ｃ経路、ｂ−ｄ経路及びｃ−ｄ経路の間で湯水の流路を切換える。送湯配管１３は、四方弁１８のｄポートと、貯湯タンク８上部の温水導入出口８ｄとを接続している。ＨＰ往き配管１４は、三方弁１１のｃポートと水冷媒熱交換器３の水入口とを接続している。ＨＰ戻り配管１５は、水冷媒熱交換器３の水出口と、四方弁１８のｃポートとを接続している。
【００１７】
また、タンクユニット３３は、水導出口配管１０、第一バイパス配管１６、第二バイパス配管１７、温水導入配管２０ａ及び温水導出配管２０ｂを有している。水導出口配管１０は、貯湯タンク８の下部に設けられた水導出口８ｂと、三方弁１１のａポートとを接続している。第一バイパス配管１６は、四方弁１８のａポートと、貯湯タンク８の中央部または下部に設けられた温水導入口８ｃとを接続している。温水導入配管２０ａは、送湯配管１３の途中から分岐し、ふろ熱交換器２０の１次側入口に接続されている。温水導出配管２０ｂは、ふろ熱交換器２０の１次側出口と三方弁１１のｂポートとを接続している。第二バイパス配管１７は、ＨＰ往き配管１４における熱源ポンプ１２とＨＰユニット７の入口側との間から分岐し、四方弁１８のｂポートに接続されている。
【００１８】
さらに、タンクユニット３３は、第一給水配管９ａ、第二給水配管９ｂ、給湯用混合弁２２、ふろ用混合弁２３、第一給湯配管２４及び第二給湯配管２５を有している。第一給水配管９ａの一端側は、水道等の水源に接続されている。第一給水配管９ａの他端側には、減圧弁３１を介して第二給水配管９ｂ及び第三給水配管９ｃが接続されている。第一給水配管９ａ、第二給水配管９ｂ及び第三給水配管９ｃは、給水管路９を構成している。第二給水配管９ｂは、給湯用混合弁２２の２つの入口のうちの一方と、ふろ用混合弁２３の２つの入口のうちの一方とにそれぞれ接続されている。給湯配管２１の一端側は、貯湯タンク８の上部に接続され、給湯配管２１の他端側は、給湯用混合弁２２の２つの入口のうちの他方と、ふろ用混合弁２３の２つの入口のうちの他方とにそれぞれ接続されている。
【００１９】
給湯用混合弁２２は、貯湯タンク８から給湯配管２１に供給される高温水と、第二給水配管９ｂから供給される低温水とを混合し、両者の混合比を可変とすることにより、外部に給湯される温水の温度を調整するものである。給湯用混合弁２２の出口は、第一給湯配管２４の一端側に接続されている。第一給湯配管２４の他端側は、給湯栓３４に接続されている。給湯用混合弁２２により温度が調整された温水は、第一給湯配管２４と、給湯栓３４と、給湯栓３４に接続された外部配管（図示省略）とを経由して、シャワー、カラン、流し台及び洗面台の蛇口等からなる給湯対象に供給される。
【００２０】
ふろ用混合弁２３は、貯湯タンク８から給湯配管２１に供給される高温水と、第二給水配管９ｂから供給される低温水とを混合し、浴槽に給湯される温水の温度を調整するものである。ふろ用混合弁２３の出口は、第二給湯配管２５の一端側に接続されている。第二給湯配管２５の他端側は、ふろ熱交換器２０とふろ往き温度センサ３７との間でふろ往き配管２７に接続されている。第二給湯配管２５の途中には、第二給湯配管２５を開閉するふろ用電磁弁２６と、第二給湯配管２５を通る温水の流量を検出するふろ用流量センサ４５とが設けられている。ふろ用混合弁２３により温度が調整された温水は、第二給湯配管２５、ふろ往き配管２７及びふろ戻り配管２８を経由して浴槽３０に流入する。
【００２１】
次に、給湯機３５の沸上げ運転について説明する。沸上げ運転は、ＨＰユニット７を駆動して貯湯タンク８に温水を貯留するものである。制御装置３６は、沸上げ運転を実行するときに、ＨＰユニット７及び熱源ポンプ１２を駆動し、また、三方弁１１をａ−ｃ経路に切換えると共に、四方弁１８をｃ−ｄ経路に切換える。これにより、沸上げ運転では、貯湯タンク８の水導出口８ｂから水導出口配管１０に低温水が取出される。この低温水は、三方弁１１及びＨＰ往き配管１４を経由してＨＰユニット７の水冷媒熱交換器３に導入され、水冷媒熱交換器３により加熱されて高温水となる。そして、水冷媒熱交換器３から流出した高温水は、ＨＰ戻り配管１５、四方弁１８及び送湯配管１３を経由して貯湯タンク８の温水導入出口８ｄに流入し、貯湯タンク８の上部に貯留される。このような沸上げ運転により、貯湯タンク８内の貯湯量及び蓄熱量を増やすことができる。
【００２２】
次に、給湯機３５の追焚き運転について説明する。追焚き運転は、浴槽水の加温または保温を行うための運転である。制御装置３６は、追焚き運転を実行するときに、熱源ポンプ１２及びふろ循環ポンプ２９を駆動し、また、三方弁１１をｂ−ｃ経路に切換えると共に、四方弁１８をａ−ｂ経路に切換える。これにより、追焚き運転では、浴槽３０からふろ戻り配管２８に浴槽水が取出され、この浴槽水は、ふろ熱交換器２０の２次側を通過する間に加熱される。そして、加熱された浴槽水は、ふろ往き配管２７を経由して浴槽３０に戻される。一方、熱源ポンプ１２が稼動すると、貯湯タンク８内の高温水が温水導入出口８ｄから取出され、この高温水は、送湯配管１３の一部及び温水導入配管２０ａを経由してふろ熱交換器２０の１次側に流入する。そして、ふろ熱交換器２０を通過する間に温度が低下した温水は、温水導出配管２０ｂ、三方弁１１、ＨＰ往き配管１４の一部（熱源ポンプ１２）、第二バイパス配管１７、四方弁１８及び第一バイパス配管１６を経由して貯湯タンク８の温水導入口８ｃに流入し、貯湯タンク８に戻される。
【００２３】
次に、給湯機３５の操作系統について説明する。給湯機３５は、台所に設置された第１のリモコンとしての台所リモコン４４Ａと、浴室に設置された第２のリモコンとしての浴室リモコン４４Ｂとを備えている。なお、本明細書では、台所リモコン４４Ａと浴室リモコン４４Ｂとをまとめてリモコン４４Ａ，４４Ｂと表記する場合がある。リモコン４４Ａ，４４Ｂには、給湯機３５の運転状態等を表示する表示部、ユーザが操作するスイッチ等の操作部、スピーカ、マイク等が搭載されている。また、リモコン４４Ａ，４４Ｂは、制御装置３６と相互に通信可能に接続されている。本実施の形態では、リモコン４４Ａ，４４Ｂを台所と浴室に設置する場合を例示したが、本発明のリモコンは、家屋内の任意の場所に設置してよいものである。
【００２４】
台所リモコン４４Ａは、沸上げ運転の実行状態を変更するための操作（以下、沸上げ関連操作と表記する）を実行する機能と、家屋内の各給湯対象に供給される温水の温度（給湯温度）を設定及び変更する機能とを備えている。浴室リモコン４４Ｂは、例えば浴槽３０の湯張り、追焚き運転等を制御装置３６に実行させるための指令を制御装置３６に出力する機能を備えている。
【００２５】
ここで、沸上げ関連操作の具体例を挙げると、沸上げ関連操作は、沸上げ運転に関連した各種のパラメータを設定する操作と、制御装置３６に沸上げ指令を出力して沸上げ運転を直ちに開始させる操作のうち少なくとも一方の操作を意味している。また、沸上げ関連操作により設定されるパラメータとしては、例えば沸上げ運転により貯湯される貯湯タンク８内の貯湯量、貯湯温度及び蓄熱量、沸上げ運転の開始時刻、終了時刻及び継続時間、沸上げ運転時の加熱力、沸上げ運転を自動的に実行する場合の貯湯温度、貯湯量及び実行時間帯に関する条件等が挙げられる。
【００２６】
また、給湯機３５は、家屋内に設置されたＨＥＭＳコントローラ４６に接続されている。ＨＥＭＳコントローラ４６は、家屋に配置された各種の電気機器を制御し、電気機器全体のエネルギ需給を総合的に管理するシステムを構成している。このシステムには、給湯機３５及びエアコン４９等の電気機器に加えて、ＨＥＭＳ操作端末４７、電力計測装置４８等が含まれている。ＨＥＭＳ操作端末４７は、例えばＨＥＭＳコントローラ４６の動作の切換、ＨＥＭＳに関連した各種設定値の設定及び変更等を行うものである。ＨＥＭＳ操作端末４７は、ＨＥＭＳコントローラ４６を経由して制御装置３６と接続されており、沸上げ関連操作を実行する機能を備えている。即ち、ＨＥＭＳ操作端末４７により実行された沸上げ関連操作は、ＨＥＭＳコントローラ４６を経由して制御装置３６に送信され、沸上げ運転の制御に反映される。
【００２７】
本実施の形態の給湯機３５は、リモコン４４Ａ，４４Ｂ及びＨＥＭＳ操作端末４７の接続状態に応じて、沸上げ運転を許可及び禁止する機能を備えている。詳しく述べると、制御装置３６は、沸上げ関連操作を実行可能な台所リモコン４４Ａが制御装置３６と非接続状態であっても、台所リモコン４４Ａと同等の機能を有するＨＥＭＳ操作端末４７が制御装置３６と接続されている場合には、沸上げ運転の実行を許可する。また、制御装置３６は、リモコン４４Ａ，４４Ｂ及びＨＥＭＳ操作端末４７が制御装置３６と非接続状態である場合に、沸上げ運転の実行を禁止する。なお、「台所リモコン４４Ａと同等の機能」とは、前記沸上げ関連操作の実行機能を意味している。
【００２８】
以下、図２を参照して、上記制御の具体例について説明する。図２は、本発明の実施の形態１において、制御装置により実行される制御の一例を示すフローチャートである。図２に示すルーチンにおいて、まず、ステップＳ１では、制御装置３６に台所リモコン４４Ａが接続されているか否かを判定する。この判定が成立した場合には、台所リモコン４４Ａが接続された通常の状態であるから、ステップＳ２に移行する。ステップＳ２では、例えば台所リモコン４４Ａから沸上げ指令が出力された場合に、沸上げ運転が実行されることを許可する。
【００２９】
なお、ステップＳ１では、例えば制御装置３６から台所リモコン４４Ａに通信信号を出力し続けても、一定の時間(例えば、５分間)にわたって台所リモコン４４Ａから応答が無い場合に、台所リモコン４４Ａが非接続状態であると判定する。一方、ステップＳ１の判定が不成立の場合には、ステップＳ３に移行する。
【００３０】
次に、ステップＳ３では、台所リモコン４４Ａと同等の機能を有するＨＥＭＳ操作端末４７が制御装置３６と接続されている否かを判定する。この判定が成立した場合には、台所リモコン４４Ａが非接続状態であっても、ＨＥＭＳ操作端末４７を用いて沸上げ関連操作を実行すれば、沸上げ運転が実行可能であると判断される。そこで、この場合には、ステップＳ４に移行し、沸上げ運転の実行を許可する。なお、ステップＳ３では、例えばＨＥＭＳ操作端末４７が備えている機能の情報を、ＨＥＭＳコントローラ４６から制御装置３６に送信することにより、ステップＳ３の判定処理を実現することができる。
【００３１】
一方、ステップＳ３の判定が不成立の場合には、ＨＥＭＳ操作端末４７が非接続状態であるか、または、ＨＥＭＳ操作端末４７が沸上げ関連操作の実行機能を備えていないと判断される。この場合には、沸上げ関連操作を実行することができず、沸上げ運転がユーザの意図と異なる設定で実行される虞れがあるので、ステップＳ５に移行し、沸上げ運転の実行を禁止する。
【００３２】
以上詳述した通り、本実施の形態によれば、沸上げ関連操作を実行可能なＨＥＭＳ操作端末４７が制御装置３６と接続されている場合に、台所リモコン４４Ａが制御装置３６と非接続状態であっても、沸上げ運転を許可することができる。これにより、台所リモコン４４Ａを用いなくても、システムを構成することができ、例えば台所リモコン４４ＡをＨＥＭＳ操作端末４７と統合したり、台所リモコン４４ＡをＨＥＭＳ操作端末４７により代替することが可能となる。従って、給湯機３５をＨＥＭＳ等のシステムに接続する場合において、システムを簡略化し、コストダウンを促進することができる。また、設置作業時の作業性を向上させることができる。
【００３３】
実施の形態２．
次に、図３を参照して、本発明の実施の形態２について説明する。本実施の形態は、前記実施の形態１の構成及び制御に加えて、浴室リモコンの接続状態も考慮することを特徴としている。具体的に述べると、制御装置３６は、リモコン４４Ａ，４４Ｂのうち一方のリモコンが制御装置３６と非接続状態であっても、他方のリモコン及びＨＥＭＳ操作端末４７が制御装置３６と接続されている場合には、沸上げ運転を許可する。また、リモコン４４Ａ，４４Ｂの両方が制御装置３６と非接続状態である場合には、ＨＥＭＳ操作端末４７が制御装置３６と接続状態であっても、沸上げ運転を禁止する。
【００３４】
以下、図３を参照して、上記制御の具体例について説明する。図３は、本発明の実施の形態２において、制御装置により実行される制御の一例を示すフローチャートである。この図に示すルーチンは、実施の形態１（図２）に示すルーチンに対して、ステップＳ６の判定処理を追加したものである。
【００３５】
詳しく述べると、図３に示すルーチンにおいて、ステップＳ３の判定が成立した場合には、ステップＳ６に移行する。ステップＳ６では、台所リモコン４４Ａと同等の機能を有する浴室リモコン４４Ｂが接続されているか否かを判定する。ここで、「台所リモコン４４Ａと同等の機能」の定義については前述の通りである。また、ステップＳ６では、例えば浴室リモコン４４Ｂが備えている機能の情報を制御装置３６に送信することにより、ステップＳ６の判定処理を実現することができる。
【００３６】
ステップＳ６の判定が成立した場合には、浴室リモコン４４ＢとＨＥＭＳ操作端末４７の少なくとも一方を用いて沸上げ関連操作を実行すれば、沸上げ運転が実行可能であると判断される。そこで、この場合には、ステップＳ４に移行し、沸上げ運転の実行を許可する。一方、ステップＳ３，Ｓ６のうち少なくとも一方の判定が不成立の場合には、ステップＳ５に移行し、沸上げ運転の実行を禁止する。
【００３７】
ここで、ＨＥＭＳコントローラ４６及びＨＥＭＳ操作端末４７は、給湯機３５と別製品であることが多いので、これらの機器の故障、通信動作の不良等が発生した場合には、ＨＥＭＳ操作端末４７により沸上げ関連操作が実行できなくなる。このような事態を想定して、本実施の形態では、浴室リモコン４４Ｂを用いて沸上げ運転に関連した操作の信頼性を確保するようにしている。
【００３８】
本実施の形態によれば、台所リモコン４４Ａと同等の機能を有する端末として、ＨＥＭＳ操作端末４７だけでなく、浴室リモコン４４Ｂも接続されている場合にのみ、沸上げ運転を許可することができる。即ち、例えばＨＥＭＳ操作端末４７が機能しなくなっても、これに代えて浴室リモコン４４Ｂを使用することができる場合にのみ、沸上げ運転を許可することができるので、信頼性を向上させることができる。
【００３９】
なお、台所リモコン４４Ａと同等の機能を有する浴室リモコン４４Ｂにおいては、沸上げ関連操作を実行するための操作部及び表示部が浴室リモコン４４Ｂに常時存在していると、ユーザからみて浴室リモコン４４Ｂの操作項目が多くなり過ぎてしまい、操作性が低下する可能性がある。このため、本実施の形態では、例えば浴室リモコン４４Ｂにタッチパネルを搭載し、台所リモコン４４Ａが制御装置３６と非接続状態である場合にのみ、沸上げ関連操作を実行するための操作部及び表示部がタッチパネルに出現する構成としてもよい。この構成によれば、浴室リモコン４４Ｂの機能を台所リモコン４４Ａと同等にした場合でも、浴室リモコン４４Ｂの操作性を良好に保持することができる。
【００４０】
なお、前記実施の形態１，２では、図２及び図３が沸上げ可否設定手段の具体例を示している。また、実施の形態１，２では、加熱装置の一例としてＨＰユニット７を挙げたが、本発明は、ヒートポンプ以外の各種の加熱装置に適用してもよい。
【符号の説明】
【００４１】
１  圧縮機，３  水冷媒熱交換器，４  膨張弁，５  冷媒配管，６  空気熱交換器，７  ＨＰユニット（加熱装置），８  貯湯タンク，８ａ  水導入口，８ｂ  水導出口，８ｃ  温水導入口，８ｄ  温水導入出口，９  給水管路，９ａ  第一給水配管，９ｂ  第二給水配管，９ｃ  第三給水配管，１０  水導出口配管，１１  三方弁，１２  熱源ポンプ，１３  送湯配管，１４  ＨＰ往き配管，１５  ＨＰ戻り配管，１６  第一バイパス配管，１７  第二バイパス配管，１８  四方弁，１９  フロースイッチ，２０  ふろ熱交換器，２０ａ  温水導入配管，２０ｂ  温水導出配管，２１  給湯管路，２２  給湯用混合弁，２３  ふろ用混合弁，２４  第一給湯配管，２５  第二給湯配管，２６  ふろ用電磁弁，２７  ふろ往き配管，２８  ふろ戻り配管，２９  ふろ循環ポンプ，３０  浴槽，３１  減圧弁，３３  タンクユニット，３４  給湯栓，３５  貯湯式給湯機，３６  制御装置，３７  ふろ往き温度センサ，３８  ふろ戻り温度センサ，４２，４３  貯湯温度センサ，４４Ａ  台所リモコン（第１のリモコン），４４Ｂ  風呂リモコン（第２のリモコン），４５  ふろ用流量センサ，４６  ＨＥＭＳコントローラ，４７  ＨＥＭＳ操作端末
【図１】
2015222152.tif 000003
【図２】
2015222152.tif 000004
【図３】
2015222152.tif 000005